(57)【要約】【課題】複数の入力チャンネルの信号を複数のＭＩＸバスに出力するデジタルミキシングシステムにおいて、多系統の信号のミキシング状態を効率的に設定できるようにする。【解決手段】キー２０２，２０４によってバス操作子部２００の動作モードが選択される。ミックスセンドモードにおいては複数のロータリーエンコーダ２１８は、指定された一のＭＩＸバスに供給される各入力チャンネルの信号ゲインを調節する操作子になる。また、ミックスマスタモードにおいては、各エンコーダ２１８は、各ＭＩＸバスの出力ゲインを調節する操作子になる。また、ミックスマスタモードにおいてＳＥＬキー２２２は、音質等の詳細設定を行うチャンネルを指定するキーになる。また、ミックスマスタモードにおいてＣＵＥキー２２４が操作されオン状態になると、ＳＥＬキー２２２も連動してオン状態に設定される。【選択図】  図６
2004207826.tif 000002
【特許請求の範囲】
【請求項１】
複数の入力チャンネルの信号を各々対応する入力チャンネル調整部を介して複数の混合バスに供給し、これら各混合バスにおいてミキシングされた信号を各混合バスに対応する出力チャンネル部を介して複数の出力チャンネルの信号として出力するアルゴリズムを実行するミキシングシステムの制御方法において、
前記複数の混合バスの中から調節対象となる一の混合バスを選択する設定チャンネル選択過程と、
前記入力チャンネル毎に設けられたセンドレベル調節操作子によって、選択された前記一の混合バスに対する前記各入力チャンネル調整部からのセンドレベルを調節する過程と、
何れかの前記入力チャンネル調整部または前記出力チャンネル部の信号をモニタ信号として選択するモニタチャンネル選択過程と、
前記設定チャンネル選択過程において前記一の混合バスが選択されると、これに連動して当該一の混合バスに対応する出力チャンネル部の信号を前記モニタ信号として選択する連動過程と
を有することを特徴とするミキシングシステムの制御方法。
【請求項２】
複数の入力チャンネルの信号を各々対応する入力チャンネル調整部を介して複数の混合バスに供給し、これら各混合バスにおいてミキシングされた信号を各混合バスに対応する出力チャンネル部を介して複数の出力チャンネルの信号として出力するアルゴリズムを実行するミキシングシステムの制御方法において、
選択された任意の一のチャンネルに対する周波数特性を、選択チャンネル制御部において調節する過程と、
該選択チャンネル制御過程において調節対象となるチャンネルを、何れかの前記入力チャンネルまたは前記出力チャンネルの中から選択する設定チャンネル選択過程と、
何れかの前記入力チャンネル調整部または前記出力チャンネル部の信号をモニタ信号として選択するモニタチャンネル選択過程と、
前記モニタチャンネル選択過程において一のチャンネルが選択されると、これに連動して当該一のチャンネルを前記選択チャンネル制御部における調節対象として選択する連動選択過程と
を有することを特徴とするミキシングシステムの制御方法。
【請求項３】
前記モニタ信号として選択された一のチャンネルの信号のみを出力する第１のモード、または前記モニタ信号として複数チャンネルの信号の混合結果を出力する第２のモードのうちから一方の動作モードを選択するモード選択過程をさらに有し、
前記連動選択過程は、該動作モードとして前記第１のモードが選択されたことを条件として実行されることを特徴とする請求項２記載のミキシングシステムの制御方法。
【請求項４】
請求項１ないし３の何れかに記載のミキシングシステムの制御方法を実行することを特徴とするミキシングシステムの制御装置。
【請求項５】
請求項１ないし３の何れかに記載のミキシングシステムの制御方法を実行することを特徴とするプログラム。
【発明の詳細な説明】
【０００１】
【発明の属する技術分野】
本発明は、多数のモニタ信号系統を有するミキシングシステムに用いて好適なミキシングシステムの制御方法、ミキシングシステムの制御装置およびプログラムに関する。
【０００２】
【従来の技術】
近年、特に業務用の音響設備においてデジタルミキシングシステムが普及しつつある。このシステムにおいては、マイク等から収集された音声信号が全てデジタル信号に変換され、ＤＳＰアレイ等によって構成されたエンジンにおいてミキシング処理が行われる。ここで、ミキシングシステムが出力する音声信号は、例えばコンサートホール等に放音する音声信号のみならず、出演者に対するモニタ信号も含まれる。特に、アンサンブルのコンサート等を行う場合においては、各演奏者毎にモニタ信号に対する要求が異なるため、一人一人の演奏者の要望に応じて異なるモニタ信号を供給することが求められている。かかる要望に応えるために、数十系統のモニタ信号を出力できるミキシングシステムも知られている。なお、このように多系統のモニタ信号を出力するミキシングシステムは、例えば非特許文献１に開示されている。
【０００３】
【非特許文献１】「ＣＳ１Ｄ  CONTROL SURFACE 取扱説明書」ヤマハ株式会社, 平成１２年１２月
【０００４】
【発明が解決しようとする課題】
ところで、このように多系統のモニタ信号を出力する場合、ミキシングシステムのオペレータ（操作者）は、演奏者各人の要望に応じて個々のモニタ信号のミキシング状態を設定しなければならず、その負担が多大なものになるという問題があった。この発明は上述した事情に鑑みてなされたものであり、多系統の信号のミキシング状態を効率的に設定でき、オペレータの負担を軽減できるミキシングシステムの制御方法、ミキシングシステムの制御装置およびプログラムを提供することを目的としている。
【０００５】
【課題を解決するための手段】
上記課題を解決するため本発明にあっては、下記構成を具備することを特徴とする。なお、括弧内は例示である。
請求項１記載のミキシングシステムの制御方法にあっては、複数の入力チャンネルの信号を各々対応する入力チャンネル調整部（３０−１〜３０−２４）を介して複数の混合バス（３２）に供給し、これら各混合バス（３２）においてミキシングされた信号を各混合バスに対応する出力チャンネル部（３６−１〜３６−２４）を介して複数の出力チャンネルの信号として出力するアルゴリズムを実行するミキシングシステムの制御方法において、前記複数の混合バス（３２）の中から調節対象となる一の混合バス（３２−ｋ）を選択する設定チャンネル選択過程（ＭＩＸバス選択キー１０９−ｋの押下）と、前記入力チャンネル毎に設けられたセンドレベル調節操作子（通常モードにおけるロータリーエンコーダ５１４）によって、選択された前記一の混合バス（３２−ｋ）に対する前記各入力チャンネル調整部（３０−１〜３０−２４）からのセンドレベルを調節する過程と、何れかの前記入力チャンネル調整部または前記出力チャンネル部の信号をモニタ信号として選択するモニタチャンネル選択過程（ＣＵＥキー２２４，５２６等の押下）と、前記設定チャンネル選択過程において前記一の混合バス（３２−ｋ）が選択されると、これに連動して当該一の混合バス（３２−ｋ）に対応する出力チャンネル部（３６−ｋ）の信号を前記モニタ信号として選択する連動過程とを有することを特徴とする。
また、請求項２記載のミキシングシステムの制御方法にあっては、複数の入力チャンネルの信号を各々対応する入力チャンネル調整部（３０−１〜３０−２４）を介して複数の混合バス（３２−１〜３２−２４）に供給し、これら各混合バス（３２−１〜３２−２４）においてミキシングされた信号を各混合バスに対応する出力チャンネル部（３６−１〜３６−２４）を介して複数の出力チャンネルの信号として出力するアルゴリズムを実行するミキシングシステムの制御方法において、選択された任意の一のチャンネルに対する周波数特性を、選択チャンネル制御部（３００）において調節する過程と、該選択チャンネル制御過程において調節対象となるチャンネルを、何れかの前記入力チャンネルまたは前記出力チャンネルの中から選択する設定チャンネル選択過程（ＳＥＬキー２２２，５１６の押下）と、何れかの前記入力チャンネル調整部または前記出力チャンネル部の信号をモニタ信号として選択するモニタチャンネル選択過程（ＣＵＥキー２２４，５２６の押下）と、前記モニタチャンネル選択過程において一のチャンネルが選択されると、これに連動して当該一のチャンネルを前記選択チャンネル制御部（３００）における調節対象として選択する連動選択過程とを有することを特徴とする。
さらに、請求項３記載の構成にあっては、請求項２記載のミキシングシステムの制御方法において、前記モニタ信号として選択された一のチャンネルの信号のみを出力する第１のモード（ＬＡＳＴ＿ＣＵＥモード）、または前記モニタ信号として複数チャンネルの信号の混合結果を出力する第２のモード（ＭＩＸ＿ＣＵＥモード）のうちから一方の動作モードを選択するモード選択過程（その他制御部７７０の操作）をさらに有し、前記連動選択過程は、該動作モードとして前記第１のモード（ＬＡＳＴ＿ＣＵＥモード）が選択されたことを条件として実行されることを特徴とする。
また、請求項４記載のミキシングシステムの制御装置にあっては、請求項１ないし３の何れかに記載のミキシングシステムの制御方法を実行することを特徴とする。
また、請求項５記載のプログラムにあっては、請求項１ないし３の何れかに記載のミキシングシステムの制御方法を実行することを特徴とする。
【０００６】
【発明の実施の形態】
1．実施形態のハードウエア構成
次に、本発明の一実施形態のミキシングシステムのハードウエア構成を図１を参照し説明する。
図において２は操作パネルであり、各種表示器および操作子等から構成されている。ここで「操作子」には電動フェーダ、ロータリーエンコーダ、キーなどの種類がある。電動フェーダは、オペレータ（操作者）によって操作されると、その操作状態がバス７を介して出力される。ロータリーエンコーダおよびキーについても同様である。
【０００７】
さらに、電動フェーダは、バス７を介して操作コマンドが供給されると、その操作位置が自動設定されるように構成されている。一方、キーあるいはロータリーエンコーダは物理的に駆動されることはない。但し、各キーにはＬＥＤが内蔵されており、そのＬＥＤのオンオフによって、当該キーに係る操作内容のオンオフ状態を表示している。また、各ロータリーエンコーダの近辺には、当該ロータリーエンコーダの操作量を表示する表示器が設けられている。そして、キーに内蔵されたＬＥＤの点滅状態はバス７を介して自動的に設定される場合もある。
【０００８】
また、ロータリーエンコーダに対応する表示器には、複数のＬＥＤをロータリーエンコーダの周囲に環状に配列したもの（例えば図７のロータリーエンコーダ３１２）、または、ロータリーエンコーダ近辺に設けられた８セグメントＬＥＤ（同図のロータリーエンコーダ３２６に対する表示器３２４）などがある。何れの場合においても、これら表示器によって各ロータリーエンコーダに係る操作量を自動的に表示することができる。なお、操作パネル２の詳細構成については後述する。
【０００９】
図１に戻り、４は波形Ｉ／Ｏ部であり、アナログ音声信号またはデジタル音声信号の入出力を行う。本実施形態においては、各種音声信号のミキシング処理・効果処理等は全てデジタル処理により実行される。しかし、外部から入力される音声信号および外部に出力すべき音声信号はアナログ信号であることが多い。このため、波形Ｉ／Ｏ部４には、必要に応じてマイクレベルアナログ入力、ラインレベルアナログ入力、デジタル入力、アナログ出力、デジタル出力等、各種機能を有するカードが挿入され、これらカードによって必要な変換処理が実行される。なお、アナログ出力のうち一部は操作者用モニタ装置１６を介して放音される。
【００１０】
次に、６は信号処理部であり、一群のＤＳＰ（デジタル・シグナル・プロセッサ）によって構成されている。信号処理部６は、波形Ｉ／Ｏ部４を介して供給されたデジタル音声信号に対してミキシング処理や効果処理を施し、その結果を波形Ｉ／Ｏ部４に出力する。８はその他Ｉ／Ｏ部であり、各種の外部機器との間でタイムコードその他の情報を入出力する。なお、本実施形態においては、その他Ｉ／Ｏ部８を介して外部機器の遠隔操作を行うことができる。１０はＣＰＵであり、後述する制御プログラムに基づいて、バス７を介して各部を制御する。１２はフラッシュメモリであり、その内部のプログラム領域１２ａには上記制御プログラムが記憶されている。１４はＲＡＭであり、ＣＰＵ１０のワークメモリとして使用される。
【００１１】
ところで、ある舞台状況等に応じたミキシングシステムの設定状態を「シーン」と呼ぶ。本実施形態のミキシングシステムにおいては、現在の「シーン」の内容（カレントシーン）はＲＡＭ１４内のカレントシーン領域１４ａに記憶されている。そして、カレントシーン領域の内容は適宜フラッシュメモリ１２内のシーン領域１２ｂまたは他の記憶装置に格納することができる。そして、シーン領域１２ｂには複数種類のシーンの内容を格納することができる。従って、舞台転換等の際には、オペレータは必要なシーンをワンタッチでカレントシーン領域内に再現することができる。
【００１２】
2．実施形態のミキシングアルゴリズム構成
次に、信号処理部６等において実現されるアルゴリズムの内容を図３を参照し説明する。
図において２２はアナログ入力部であり、マイクレベルまたはラインレベルのアナログ音声信号を受信すると、これをデジタル音声信号に変換し、信号処理部６に供給する。２４はデジタル入力部であり、デジタル音声信号を受信すると、これを信号処理部６内部のフォーマットに変換する。４４はアナログ出力部であり、信号処理部６から供給されたデジタル音声信号をアナログ音声信号に変換し外部に出力する。４６はデジタル出力部であり、信号処理部６から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。また、４９はモニタ用アナログ出力部であり、供給された音声信号をアナログ音声信号に変換し、操作者用モニタ装置１６に出力する。
【００１３】
以上述べた構成は、信号処理部６とは別体のハードウエアである波形Ｉ／Ｏ部４およびここに介挿される各種カードにより実現されているが、上記以外の構成は信号処理部６において動作するプログラムによって実現されている。３０は入力チャンネル調整部であり、操作パネル２上の電動フェーダおよび操作子の操作に基づいて、最大４８チャンネルの入力チャンネルに対して音量・音質等の調整を行う。２８は入力パッチ部であり、入力部２２，２４等の複数の入力ポートから供給されたデジタル音声信号を入力チャンネル調整部３０の任意の入力チャンネルに割り当てる。２６は内蔵エフェクタであり、最大８チャンネルの音声信号に対してエフェクト処理を施し、その結果を入力パッチ部２８を介して入力チャンネル調整部３０に供給する。
【００１４】
３２はＭＩＸバス群であり、「２４」系統のＭＩＸバス３２−１〜３２−２４（図４参照）から構成されている。各ＭＩＸバス３２−１〜３２−２４においては、各入力チャンネルのデジタル音声信号がミキシングされる。各入力チャンネルにおいては、音声信号をＭＩＸバス３２−１〜３２−２４に供給するか否かを各ＭＩＸバス毎に設定することができ、供給する場合には各ＭＩＸバスに対するセンドレベルも系統毎に独立して設定することができる。３６はＭＩＸ出力チャンネル部であり、これらＭＩＸバス３２−１〜３２−２４におけるミキシング結果のレベル調節および音質調節を行なう。４２は出力パッチ部であり、ＭＩＸ出力チャンネル部３６による調整結果を、各出力部４４，４６または上記内蔵エフェクタ２６の任意の出力ポートに割り当てる。
【００１５】
詳細は後述するが、操作パネル２の各部には、操作に係る音声信号を監視するか否かを指定するＣＵＥキーが設けられている。３４はＣＵＥバスであり、ＣＵＥキーがオンされた箇所の音声信号をミキシングするとともにミキシング結果をＣＵＥ信号として出力する。また、３８はモニタ用セレクタであり、ＣＵＥバス３４とは別系統のモニタ箇所を選択する。上記ＣＵＥ信号と、モニタ用セレクタ３８において選択されたモニタ信号とはモニタ用ミキサ４０においてさらにミキシングされ、その結果がモニタ用アナログ出力部４９を介して出力されることになる。
【００１６】
次に、入力チャンネル調整部３０およびＭＩＸ出力チャンネル部３６におけるアルゴリズム構成を図４を参照し説明する。図において３０−１は第１入力チャンネル調整部であり、第１入力チャンネルにおける音質・音量調整を行う。また、３６−１は第１ＭＩＸ出力チャンネル部であり、第１ＭＩＸ出力チャンネルにおける音質・音量調整を行う。
【００１７】
第１入力チャンネル調整部３０−１の内部において５２は音質調整部であり、第１入力チャンネルにおけるリミッタ処理、コンプレッサ処理、イコライザ処理等を行う。５４はオンオフ切換部であり、第１入力チャンネル全体のオンオフを切り換える。なお、このオンオフ切換部５４がオフ状態に設定されると、何れのＭＩＸバス３２−１〜３２−２４に対しても音声信号が供給されないことになる。
【００１８】
５６は音量調整部であり、第１入力チャンネルの音声信号のレベルを調節する。６０はＣＵＥオンオフ切換部であり、該音声信号をＣＵＥバス３４に供給するか否かを切り換える。５８はＣＵＥ信号用の信号切換部であり、ＣＵＥオンオフ切換部６０を介してＣＵＥバス３４に出力する音声信号として、音量調整部５６による音量調節が行われる前（以下、プリフェードという）の信号、または音量調節が行われた後の信号（以下、ポストフェードという）の何れか一方を選択する。
【００１９】
６２−１〜６２−２４はＭＩＸバス用の信号切換部であり、各ＭＩＸバスに出力する信号をプリフェード／ポストフェードのうち一方から選択する。６４−１〜６４−２４はセンドレベル調節部であり、各ＭＩＸバスに出力する信号のセンドレベルを調節する。６６−１〜６６−２４はセンドオンオフ切換部であり、各ＭＩＸバス３２−１〜３２−２４に対する音声信号の供給をオン／オフする。
【００２０】
次に、第１ＭＩＸ出力チャンネル部３６−１の内部において７２は音質調整部であり、第１ＭＩＸ出力チャンネルにおけるリミッタ処理、コンプレッサ処理、イコライザ処理等を行う。７４はオンオフ切換部であり、第１ＭＩＸ出力チャンネルのオンオフを切り換える。７６は音量調整部であり、第１ＭＩＸ出力チャンネルの音声信号の出力レベルを調節する。８０はＣＵＥオンオフ切換部であり、第１ＭＩＸ出力チャンネル部３６−１の音声信号をＣＵＥバス３４に供給するか否かを切り換える。７８はＣＵＥ信号用の信号切換部であり、ＣＵＥオンオフ切換部８０を介してＣＵＥバス３４に出力する音声信号として、プリフェード／ポストフェードの音声信号の何れかを選択する。
【００２１】
以上、第１入力チャンネルに対する第１入力チャンネル調整部３０−１および第１ＭＩＸ出力チャンネルに対する第１ＭＩＸ出力チャンネル部３６−１のアルゴリズムの詳細を説明したが、上記以外の入力チャンネルおよびＭＩＸ出力チャンネルについてもこれらと同様の入力チャンネル調整部３０−２〜３０−２４およびＭＩＸ出力チャンネル部３６−２〜３６−２４が設けられている（図示せず）。
【００２２】
3．操作パネル２の構成
次に、操作パネル２の全体構成を図２を参照し説明する。図において１００はバス選択部であり、何れかのＭＩＸバス３２−１〜３２−２４を択一的に選択する操作子等が設けられている。２００はバス操作子部であり、バス選択部１００において選択されたＭＩＸバスに対する各入力チャンネルからのセンドレベルおよびＭＩＸ出力チャンネル部３６内の各音量調整部７６のレベル設定等を行う操作子等から構成されている。また、３００は選択チャンネル制御部であり、選択された一の入力チャンネルまたはＭＩＸ出力チャンネルについて音質調整部５２，７２の詳細設定を行う操作子等から構成されている。
【００２３】
５００は入力チャンネルストリップ部であり、入力チャンネルの音量調整部５６に対応する複数のフェーダ、その他入力チャンネル調整部３０に係る操作子等から構成されている。６００は割当チャンネルストリップ部であり、フェーダ等の操作子が設けられ、入力チャンネルの音量調節、ＭＩＸ出力チャンネルの音量調節またはＤＣＡグループの音量調節（詳細は後述する）等、割り当てられた機能に応じた動作を行う。７１０，７４０はレベルメータであり、入力チャンネル、ＭＩＸ出力チャンネル等のレベルを表示する。
【００２４】
７２０は表示器（グラフィックディスプレイ）であり、選択チャンネル制御部３００においてリミッタ処理、コンプレッサ処理、イコライザ処理等の設定が行われている際に、各種特性のグラフ等を表示する。７３０はシーン選択部であり、カレントシーン領域１４ａの内容をシーン領域１２ｂに転送し、あるいは既にシーン領域１２ｂ記憶されたシーンをカレントシーン領域１４ａに再現する等の操作を行うものである。
【００２５】
次に、７５０は画面選択部であり、表示器７２０に表示すべき画面制御を行う。例えば、オペレータが選択チャンネル制御部３００において音質調整部５２，７２等のコンプレッサ処理の設定を行うのであればコンプレッサの特性画面に、またイコライザ処理を行うのであればイコライザの特性画面に、表示器７２０の表示内容を任意に設定することができる。７６０は画面制御部であり、表示器７２０上に表示されたカーソルを移動するカーソルキー、ポインティングデバイス、データ入力用のロータリーエンコーダ、エンターキー等によって構成されている。７７０はその他制御部であり、上述した以外の各種操作子等が設けられている。
【００２６】
ここで、画面選択部７５０において所定の操作を行うと、ミキシングシステムのカスタマイズを行うための「プレファレンス画面」が表示器７２０に表示される。該プレファレンス画面には、以下の３種類の連動機能をオン／オフする３個のボタンが表示され、画面制御部７６０の操作によってこれらのボタンのオン／オフ状態を切り換えることができる。
(１)入力ＣＵＥ連動ボタン：このボタンは、入力チャンネルストリップ部５００に設けられたＣＵＥキー５２６の操作に対してＳＥＬキー５１６を連動させる機能（入力ＣＵＥ連動機能）のオン／オフ状態を選択するボタンである。
(２)出力ＣＵＥ連動ボタン：このボタンは、バス操作子部２００に設けられたＣＵＥキー２２４の操作に連動してＳＥＬキー２２２を連動させる機能（出力ＣＵＥ連動機能）のオン／オフ状態を選択するボタンである。
(３)バス選択連動ボタン：このボタンは、ＭＩＸバス選択キー１０９の操作に対してＣＵＥキー２２４を連動させる機能（バス選択連動機能）のオン／オフ状態を選択するボタンである。
【００２７】
ここで、上記入力ＣＵＥ連動機能(１)，出力ＣＵＥ連動機能(２)の何れかと、バス選択連動機能(３)とは同時にオン状態に設定することはできない。すなわち、ボタン(１)，(２)は同時にオン状態に設定することができ、ボタン(３)がオン状態に設定されるとボタン(１)，(２)は自動的にオフ状態に設定される。また、ボタン(１)，(２)のうち何れかがオン状態に設定されると、ボタン(３)は自動的にオフ状態に設定される。なお、プレファレンス画面には、上述したボタン(１)〜(３)以外にも各種操作子の操作に対する画面切換の連動機能、各種確認ダイアログの表示機能、各種警告ダイアログの表示機能等のオン／オフを制御する複数のボタンが表示される。
【００２８】
3．1．バス選択部１００
以下、操作パネル２上の主要部分について詳述するが、まずバス選択部１００の詳細構成を図５を参照し説明する。
図５において１０９−１〜１０９−２４はＭＩＸバス選択キーであり、「２４」系統のＭＩＸバス３２−１〜３２−２４に対応して「２４」個設けられている。これらＭＩＸバス選択キー１０９−１〜１０９−２４は、入力チャンネルストリップ部５００内に設けられたロータリーエンコーダ５１４およびＯＮキー５１２等において操作対象になるＭＩＸバス（以下「操作対象ＭＩＸバス」という）をトグルで選択するものであり、操作対象ＭＩＸバス以外のＭＩＸバス３２−ｋに対応するＭＩＸバス選択キー１０９−ｋの操作（オン操作）に応じて、当該ＭＩＸバス選択キー１０９−ｋが点灯されるとともに、ＭＩＸバス３２−ｋが操作対象ＭＩＸバスとして選択されることになる。
【００２９】
従って、複数のＭＩＸバス選択キーが順次オン操作された場合は、最後にオン操作されたＭＩＸバス選択キー１０９−ｋに対応するＭＩＸバス３２−ｋのみが操作対象ＭＩＸバスになる。また、既に操作対象ＭＩＸバスに選択されているＭＩＸバス３２−ｋ対応するＭＩＸバス選択キー１０９−ｋの操作（オフ操作）に応じて、当該ＭＩＸバス選択キー１０９−ｋは消灯され、操作対象ＭＩＸバスが存在しない状態（非選択状態）になる。１０４はＬＥＤ表示器であり、操作対象ＭＩＸバスの番号（「１」〜「２４」）ないし非選択状態を示す文字列「−−」を表示する。
【００３０】
ところで、詳細は後述するが、本実施形態においては入力チャンネルストリップ部５００に対して、「通常モード」、「ＦＬＩＰモード」、「ＨＡ＿ＲＥＭＯＴＥモード」および「ＰＡＮモード」のうちから動作モードを選択することが可能になっている。なお、各動作モードの詳細については後述する。１０２はＦＬＩＰキー、１０６はＨＡ＿ＲＥＭＯＴＥキー、１０８はＰＡＮキーであり、各々「ＦＬＩＰモード」、「ＨＡ＿ＲＥＭＯＴＥモード」、「ＰＡＮモード」のオン／オフ状態をトグルで切り換えるとともに、対応する動作モードが設定されている場合には、内蔵されているＬＥＤが点灯するように構成されている。ここで、ＦＬＩＰモード、ＰＡＮモードおよびＨＡ＿ＲＥＭＯＴＥモードは、排他的にオン状態に設定することができる。すなわち、キー１０２，１０６，１０８の操作によって対応する動作モードがオン状態になると、他の動作モードは強制的にオフ状態になる。そして、これら「３」モードの何れもオフ状態であれば、動作モードは通常モードになる。なお、ＭＩＸバス選択キー１０９−１〜１０９−２４による操作対象ＭＩＸバスの選択は、ＨＡ＿ＲＥＭＯＴＥモードまたはＰＡＮモードにおいても実行可能であるが、その結果は通常モードとＦＬＩＰモードにおいてのみ入力チャンネルストリップ部５００に反映される。
【００３１】
3．2．入力チャンネルストリップ部５００
次に、入力チャンネルストリップ部５００の詳細構成を図９を参照し説明する。入力チャンネルストリップ部５００には、「２４」個のチャンネルストリップ５１０−１〜５１０−２４が設けられている。上述したように入力チャンネル数は「４８」であるが、入力チャンネルは「２４」チャンネル毎に「２」レイヤに分割されている。そして、何れかのレイヤが選択されると、選択されたレイヤに属する入力チャンネルが該チャンネルストリップ５１０−１〜５１０−２４に割り当てられ、音量等の調節が可能になる。以下、個々のチャンネルストリップに割り当てられた入力チャンネルを「割当入力チャンネル」と呼ぶ。各チャンネルストリップ５１０−１〜５１０−２４は同様の構成を有しているため、以下チャンネルストリップ５１０−１を例として詳細構成を説明する。
【００３２】
チャンネルストリップ５１０−１の内部において、５１４はロータリーエンコーダであり、上述した動作モードに基づいて、以下のように機能する。すなわち、ロータリーエンコーダ５１４は、通常モードにおいては操作対象ＭＩＸバスへのセンドレベル（図４におけるセンドレベル調節部６４−１〜６４−２４のゲイン）を設定する操作子になり、ＰＡＮモードにおいては、各チャンネルのＰＡＮバランスを調節する操作子になり、ＨＡ＿ＲＥＭＯＴＥモードにおいては、その他Ｉ／Ｏ部８に接続された機器を遠隔操作する操作子になり、ＦＬＩＰモードにおいては割当入力チャンネルのレベル（図４における音量調整部５６のゲイン）を調節する操作子になる。
【００３３】
５１２はＯＮキーであり、動作モードに基づいて以下のように機能する。すなわち、ＯＮキー５１２は、通常モードにおいては操作対象ＭＩＸバスへのセンドのオン／オフ状態（図４における信号切換部６２−１〜６２−２４の状態）を切り換えるキーになり、ＦＬＩＰモードにおいては割当入力チャンネルのオン／オフ状態（図４におけるオンオフ切換部５４の状態）を切り換えるキーになり、ＰＡＮモードにおいては機能せず、ＨＡ＿ＲＥＭＯＴＥモードにおいては、その他Ｉ／Ｏ部８に接続された機器における所定状態のオン／オフ状態を操作する遠隔操作用のキーになる。ＯＮキー５１２にはＬＥＤが内蔵され、当該ＬＥＤは、何れのモードにおいても、対応する状態がオンになると点灯し、オフになると消灯する。
【００３４】
５１６はＳＥＬキーであり、選択チャンネル制御部３００およびバス操作子部２００（ミックスセンドモード）等における操作対象となるチャンネル（以下、「選択チャンネル」という）を、割当入力チャンネルに設定することを指示するキーである。ここで、ＳＥＬキー５１６は全チャンネルストリップ５１０−１〜５１０−２４に設けられているが、そのうち一のＳＥＬキーのみを択一的にオン状態に設定することができる。従って、何れかのチャンネルストリップにおいてＳＥＬキー５１６が押下されてオン状態に設定されると、他のチャンネルストリップのＳＥＬキー５１６は強制的にオフ状態に設定される。
【００３５】
５１８はディスプレイであり、割当入力チャンネルのチャンネル名（最大４文字）を表示する。５２０はＯＮキーであり、動作モードに基づいて以下のように機能する。すなわち、ＯＮキー５２０は、ＦＬＩＰモードにおいては、操作対象ＭＩＸバスへのセンドのオン／オフ状態（図４における信号切換部６２−１〜６２−２４の状態）を切り換えるキーになり、ＦＬＩＰモード以外の動作モードにおいては、当該割当入力チャンネルのオン／オフ状態（図４におけるオンオフ切換部５４の状態）を切り換えるキーになる。なお、ＯＮキー５２０においても、対応するオン／オフ状態に応じて点灯／消灯するＬＥＤが設けられている。
【００３６】
５２４は電動フェーダであり、動作モードに基づいて以下のように機能する。すなわち、電動フェーダ５２４は、ＦＬＩＰモードにおいては、操作対象ＭＩＸバスへのセンドレベルを設定する操作子になり、他の動作モードにおいては、当該割当入力チャンネルのレベル（図４における音量調整部５６のゲイン）を調節する操作子になる。５２６はＣＵＥキーであり、割当入力チャンネルのＣＵＥのオン／オフ状態を切り換える。ＣＵＥがオン状態になると、割当入力チャンネルの音声信号がＣＵＥバス３４に供給される。
【００３７】
ここで、ＣＵＥキー５２６および後述するその他のＣＵＥキーの動作モードには、「ＭＩＸ＿ＣＵＥモード」および「ＬＡＳＴ＿ＣＵＥモード」の２種類がある。ＭＩＸ＿ＣＵＥモードは、複数のＣＵＥキーをオン状態にすることを許容する動作モードであり、オン状態に設定された複数のＣＵＥキーに係る音声信号がＣＵＥバス３４においてミキシングされ、その結果がＣＵＥ信号として出力されることになる。一方、ＬＡＳＴ＿ＣＵＥモードは、最後にオン状態に設定されたＣＵＥキーに係る音声信号のみをＣＵＥバス３４に供給し、他のＣＵＥキーに係る音声信号を自動的にオフ状態に設定する動作モードである。なお、ＭＩＸ＿ＣＵＥモードまたはＬＡＳＴ＿ＣＵＥモードを選択する操作子は上記その他制御部７７０に設けられている。
【００３８】
さらに、入力ＣＵＥ連動機能がオン状態にされている場合、上記ＬＡＳＴ＿ＣＵＥモードにおいては、何れかのチャンネルストリップ５１０−１〜５１０−２４のＣＵＥキー５２６がオン状態になると、ＳＥＬキー５１６も連動してオン状態に設定される。ここに本実施形態の特徴の一つがある。すなわち、ＬＡＳＴ＿ＣＵＥモードが選択された場合においては、何れかのチャンネルストリップにおいてＣＵＥキー５２６が操作されオン状態に設定されると、該チャンネルストリップに対する割当入力チャンネルの状態が選択チャンネル制御部３００に自動的に反映されることになる。但し、逆に何れかのＳＥＬキー５１６が操作された場合であっても、同一のチャンネルストリップに属するＣＵＥキー５２６のオン／オフ状態は「連動させない」点に特徴がある。
【００３９】
本実施形態においてかかる操作方法を採用した理由を説明しておく。
まず、オペレータがあるチャンネルストリップにおいてＬＡＳＴ＿ＣＵＥモードでＣＵＥキー５２６をオン状態に設定する場合とは、当該割当入力チャンネルの音声信号のみを「重点的にモニタしたい場合」である。そして、「特定の入力チャンネルのみを重点的にモニタしたい場合」とは、大部分のケースにおいて、「当該入力チャンネルの音質調節を行う場合」すなわち、当該入力チャンネルを選択チャンネル制御部３００における「選択チャンネルに設定したい場合」に等しいことが経験上明らかである。
【００４０】
そこで、本実施形態においては、かかる場合にＣＵＥキー５２６のみを操作すればＣＵＥバス３４によるモニタ対象チャンネルと、選択チャンネル制御部３００およびバス操作子部２００（ミックスセンドモード）における操作対象チャンネルとを同時に切り換えるようにし、これによってオペレータによる操作労力を軽減させたのである。一方、ＳＥＬキー５１６の操作に基づいてＣＵＥキー５２６を連動させないこととした理由は、選択チャンネル制御部３００における操作対象チャンネルをオペレータが切り換えた場合であっても、ＣＵＥバス３４によるモニタ対象チャンネルを切り換えるべきではない場合が多々存在するためである。例えば、オペレータが全体の音質・音量をモニタしながら、選択チャンネル制御部３００においてある特定の入力チャンネルの調節を行いたい場合等がこれに該当する。
【００４１】
3．3．割当チャンネルストリップ部６００
次に、割当チャンネルストリップ部６００の詳細構成を図１０を参照し説明する。
図において６３０−１〜６３０−８は「８」個のチャンネルストリップであり、各チャンネルストリップは同様の構成を有している。これらチャンネルストリップには、様々な機能を割り当てることが可能である。各チャンネルストリップ６３０−１〜６３０−８に対して一対一に機能を割り当てた状態を「１フェーダモード」といい、これらチャンネルストリップには合計「７フェーダモード」の機能を割り当てることができる。６１０はフェーダモード選択部であり、その内部に設けられたキー６１２〜６２２により、何れかのフェーダモードを択一的に選択する。なお、キー６１２〜６２２は、択一的にオン状態に設定される。
【００４２】
各チャンネルストリップに割り当てられる機能（動作モード）は、入力チャンネルの音量調節（入力チャンネルモード）、ＭＩＸ出力チャンネルの音量調節（ＭＩＸ出力チャンネルモード）、内蔵エフェクタ２６（図２参照）のゲイン調節（エフェクタモード）、およびＤＣＡレベルの調節（ＤＣＡモード）等である。まず、入力チャンネルの音量調節は、上述した入力チャンネルストリップ部５００において実行可能であるが、チャンネルストリップ６３０−１〜６３０−８に入力チャンネルを割り当てることにより、選択されていないレイヤに属する入力チャンネルに対してもフェーダによる音量調節が可能になる。
【００４３】
また、バス操作子部２００内にはロータリーエンコーダが設けられており（詳細は後述する）、これによって各ＭＩＸ出力チャンネルの音量調節を行うことができるが、特に操作頻度の高いＭＩＸ出力チャンネル等を何れかのチャンネルストリップに割り当てることにより、当該ＭＩＸ出力チャンネルの操作性を高めることができる。次に、「ＤＣＡ（Ditigal Controlled Amplifier または Ditigal Controlled Attenuator 」について説明しておく。ＤＣＡとは、複数の入力チャンネルに対して、各入力チャンネルのフェーダとは別の共通のフェーダ（ＤＣＡフェーダ）を割り当て、ＤＣＡフェーダによって設定されたゲインを、各入力チャンネルのフェーダによって設定されたゲインに乗算し、これによって該複数の入力チャンネルのゲインを決定することをいう。ＤＣＡモードは、主として、ピアノ、ドラムなどの大型の楽器や、例えばオーケストラの一部のパートの音量制御に用いられる。
【００４４】
一般的にピアノ等、大型の楽器の演奏音は複数本のマイクによって集音される。これら複数のマイクはバランス調節を行うために各々個別の入力チャンネルに割り当てられる。そして、これら入力チャンネルが一のＤＣＡフェーダに割り当てられるのである。これにより、個々のマイクから集音された音声信号相互間のバランスは各入力チャンネルのフェーダによって調節され、楽器全体としての音量はＤＣＡフェーダによって調節されるのである。
【００４５】
従って、何れかのチャンネルストリップ６３０−１〜６３０−８の機能がＤＣＡに割り当てられると、当該ＤＣＡグループに属する入力チャンネルのレベルすなわち音量調整部５６（図４参照）に対して設定されるレベルは、該入力チャンネル固有のフェーダの操作量と、ＤＣＡフェーダの操作量との乗算結果に設定されることになる。
【００４６】
次に、チャンネルストリップ６３０−１の内部において、６３１はディスプレイであり、該チャンネルストリップに割り当てられたチャンネル名（最大４文字）を表示する。６３２はＤＣＡ＿ＭＵＴＥキーであり、動作モードがＤＣＡモードである場合にのみ機能する。すなわち、ＤＣＡモードにおいてＤＣＡ＿ＭＵＴＥキー６３２がオン状態に設定されると、そのＤＣＡグループに含まれる入出力チャンネルのレベル（音量調整部５６のゲイン）が全て「０」に設定される。
【００４７】
６３４は電動フェーダであり、チャンネルストリップに割り当てられた機能に応じて、ＤＣＡレベル、入出力チャンネルレベル等を調節する。６３６はＣＵＥキーであり、ＤＣＡモード以外の動作モードにおいては、対応する入出力チャンネルまたはエフェクタの出力信号のＣＵＥバス３４への供給をオン／オフ制御するキーになる。また、ＣＵＥキー６３６は、ＤＣＡモードにおいては、当該ＤＣＡグループに属する全ての入力チャンネルに係るＣＵＥオンオフ切換部６０（図４参照）を同時にオン／オフ制御するキーになる。なお、割当チャンネルストリップ部６００に設けられている他のチャンネルストリップ６３０−２〜６３０−８も、チャンネルストリップ６３０−１と同様に構成されている。
【００４８】
3．4．選択チャンネル制御部３００
次に、図７，図８を参照し、選択チャンネル制御部３００の詳細について説明する。まず、図７において３１０はアッテネータ部であり、選択チャンネルの音質調整部５２，７２におけるアッテネーション、位相切換、およびインサーションエフェクトの挿入等を行う。３２０はノイズゲート部であり、音質調整部５２，７２におけるノイズゲートの設定を行う。３４０はレベルメータ部であり、選択チャンネルの音声信号レベルを表示する。
【００４９】
３５０はチャンネルセレクト部であり、選択チャンネルの指定を行う。なお、選択チャンネルは入力チャンネルストリップ部５００に設けられたＳＥＬキー５１６等によっても指定可能であるが、このチャンネルセレクト部３５０によっても指定可能になっている。チャンネルセレクト部３５０の内部において表示器３５２は選択チャンネルのチャンネル番号を表示する。３５４はＩＮＣキーであり、選択チャンネルの番号を「１」だけ増加させる。また、３５６はＤＥＣキーであり、選択チャンネルの番号を「１」だけ減少させる。
【００５０】
３６４はＣＯＰＹキーであり、操作されると選択チャンネル制御部３００の設定内容をコピーバッファ（ＲＡＭ１４内の所定領域）にコピーする。また、３６８はＰＡＳＴＥキーであり、コピーバッファに記憶されている設定内容を選択チャンネルの設定内容として選択チャンネル制御部３００に反映させる。３７０はグループ設定部であり、選択チャンネルをＤＣＡグループ等に加入させ、あるいは選択チャンネルをＤＣＡグループ等から除外する等の操作を行う。３８０はディレイ部であり、音声信号の遅延特性の設定を行う。
【００５１】
次に、図８において４００はコンプレッサ部であり、選択チャンネルの音質調整部５２，７２における内蔵コンプレッサの設定を行う。４３０はイコライザ部であり、音質調整部５２，７２のイコライザにおける高音部（ＨＩＧＨ）、高中音部（ＨＩＧＨ  ＭＩＤ）、低中音部（ＬＯＷ  ＭＩＤ）および低音部（ＬＯＷ）から成る４バンドの周波数特性を設定するものである。ここで、ロータリーエンコーダ４３８は高音部（ＨＩＧＨ）の中心周波数を設定するものであり、設定された周波数は表示器４３４に表示される。また、ロータリーエンコーダ４３７は高音（ＨＩＧＨ）の中心周波数におけるゲインを、ロータリーエンコーダ４３２はＱ値を、各々調節するものである。これらの操作量はロータリーエンコーダの周囲に環状に配列されたＬＥＤによって表示される。また、高中音部（ＨＩＧＨ  ＭＩＤ）、低中音部（ＬＯＷ  ＭＩＤ）および低音部（ＬＯＷ）に対しても同様の操作子および表示器が設けられている。４８０はハイパスフィルタ設定部であり、音声信号に適用されるハイパスフィルタの設定を行う。
【００５２】
3．5．バス操作子部２００
次に、バス操作子部２００の詳細構成を図６を参照し説明する。バス操作子部２００においては、「ミックスセンドモード」および「ミックスマスタモード」の動作モードが選択可能である。ここで、ミックスセンドモードとは、何れかの入力チャンネルが選択チャンネルである場合に、該入力チャンネルから複数のＭＩＸバスに供給する信号レベル（センドレベル）を制御する動作モードである。例えば、入力チャンネルストリップ部５００のＳＥＬキー５１６によって第１入力チャンネルが選択されたのであれば、当該入力チャンネル調整部３０−１における複数のセンドレベル調節部６４−１〜６４−２４（図４参照）の信号レベル等がバス操作子部２００において調節されることになる。また、ミックスマスタモードとは、各ＭＩＸ出力チャンネル部３６−１〜３６−２４における音量調整部７６のレベル等を調節するモードである。なお、何れかの出力チャンネルが選択チャンネルである場合には、動作モードとしてミックスマスタモードのみが選択可能になり、ミックスセンドモードは選択できない。また、ミックスセンドモードが選択された状態で、選択チャンネルが何れかのＭＩＸ出力チャンネルに変更された場合は、ミックスセンドモード、ミックスマスタモードの何れも選択されていない動作モードになり、バス操作子部２００における操作は無効にされる。
【００５３】
２０２はミックスセンドキー、２０４はミックスマスタキーであり各々押下される毎に動作モードを「ミックスセンドモード」または「ミックスマスタモード」に切り換えるとともに、対応する動作モードが選択されている際には内部のＬＥＤが点灯状態になる。２１０−１〜２１０−２４はバス制御部であり、何れの動作モードにおいても、これらはＭＩＸバス３２−１〜３２−２４に各々対応する。バス制御部２１０−１の内部において、２１６はＯＮキー、２１８はロータリーエンコーダ、２２４はＣＵＥキー、２２２はＳＥＬキーである。なお、他のバス制御部２１０−２〜２１０−２４においても、同様の操作子が設けられている。これら操作子の機能について、以下動作モード毎に詳述する。
【００５４】
3．5．1．ミックスセンドモード
まず、「ミックスセンドモード」においては、バス制御部２１０−ｎ（但しｎ＝１〜２４）はＭＩＸバス３２−ｎに対応付けられ、バス制御部２１０−ｎは、選択チャンネルである第ｍ入力チャンネルからＭＩＸバス３２−ｎへの信号供給に係る制御を行う操作子群になる。本動作モードにおいてＯＮキー２１６は、第ｍ入力チャンネルからＭＩＸバス３２−ｎへの信号供給のオンオフ、すなわち入力チャンネル調整部３０−ｍにおける信号切換部６２−ｎのオン／オフ状態をトグルで切り換えるキーになる。
【００５５】
また、ロータリーエンコーダ２１８は、入力チャンネル調整部３０−ｍにおけるセンドレベル調節部６４−ｎのレベルを調節する操作子になる。また、本モードにおいてＣＵＥキー２２４は機能せず、該キーは常に消灯状態になる。また、ＳＥＬキー２２２の機能はバス選択部１００内に設けられたＭＩＸバス選択キー１０９−１〜１０９−２４の機能と同一になり、ＳＥＬキー２２２は対応するＭＩＸバス選択キー１０９−ｎと連動して操作対象ＭＩＸバスを選択するキーになる。但し、ＳＥＬキー２２２は常に消灯状態であり、操作対象ＭＩＸバスの表示はＭＩＸバス選択キー１０９−ｎにおいてのみ行われる。
【００５６】
3．5．2．ミックスマスタモード
次に、ミックスマスタモードにおいては、バス制御部２１０−ｋ（但しｋ＝１〜２４）は、ＭＩＸ出力チャンネル部３６−ｋに対応付けられ、該ＭＩＸ出力チャンネル部３６−ｋにおける制御を行う操作子群になる。本動作モードにおいてＯＮキー２１６は、ＭＩＸ出力チャンネル部３６−ｋ全体のオン／オフ状態すなわちオンオフ切換部７４の状態をトグルで切り換えるキーになる。また、ロータリーエンコーダ２１８は、ＭＩＸ出力チャンネル部３６−ｋにおける音量調整部７６のレベルを調節する操作子になる。
【００５７】
また、本動作モードにおいて、ＣＵＥキー２２４は、ＣＵＥオンオフ切換部８０のオン／オフ状態すなわち該ＭＩＸ出力チャンネル部３６−ｋの音声信号をＣＵＥバス３４に供給するか否かをトグルで切り換えるキーになる。また、ＳＥＬキー２２２は、当該ＭＩＸ出力チャンネル部３６−ｋを、選択チャンネル（選択チャンネル制御部３００等における操作対象となるチャンネル）に設定するキーになる。なお、上述したように、何れかのＭＩＸ出力チャンネルが選択チャンネルである場合には、バス操作子部２００の動作モードをミックスセンドモードに設定することはできない。
【００５８】
ここで、ＣＵＥキー２２４の動作モードは、上述した他のＣＵＥキーと同様にＬＡＳＴ＿ＣＵＥモードまたはＭＩＸ＿ＣＵＥモードの中から選択される。ここで、出力ＣＵＥ連動機能がオンされている場合の上記ＬＡＳＴ＿ＣＵＥモードにおける動作に本実施形態の特徴の一つがある。すなわち、出力ＣＵＥ連動機能がオンでありかつＬＡＳＴ＿ＣＵＥモードが選択された場合においては、何れかのバス制御部２１０−ｋにおいてＣＵＥキー２２４がオン状態に設定されると、当該バス制御部２１０−ｋに属するＳＥＬキー２２２も連動してオン状態に設定されるのである。但し、逆に何れかのＳＥＬキー２２２が操作された場合であっても、同一のバス制御部に属するＣＵＥキー２２４のオン／オフ状態は「連動させない」点に特徴がある。
【００５９】
本実施形態においてかかる操作方法を採用した理由は、上述した入力チャンネルストリップ部５００におけるＳＥＬキー５１６およびＣＵＥキー５２６の操作方法を採用した理由と同様である。すなわち、オペレータがあるバス制御部２１０−ｋにおいてＬＡＳＴ＿ＣＵＥモードでＣＵＥキー２２４をオン状態に設定する場合とは、大部分のケースにおいて、「当該ＭＩＸ出力チャンネル部の音質調節を行う場合」である。
【００６０】
そこで、本実施形態においては、入力チャンネルストリップ部５００の場合と同様に、かかる場合にＣＵＥキー２２４のみを操作すればＣＵＥバス３４によるモニタ対象チャンネルと、選択チャンネル制御部３００における操作対象チャンネルとを同時に切り換えるようにし、これによってオペレータによる操作労力を軽減させたのである。一方、オペレータが全体の音質・音量をモニタしながら、選択チャンネル制御部３００においてある特定のＭＩＸ出力チャンネルの調節を行いたい場合も考えられるため、ＳＥＬキー２２２が操作されたとしてもＣＵＥキー２２４の状態を連動されない。
【００６１】
さらに、ＬＡＳＴ＿ＣＵＥモードあるいはＭＩＸ＿ＣＵＥモードの何れかにかかわらず動作する、ＣＵＥキー２２４の以下の連動機能にも本実施形態の特徴がある。
(連動機能１)まず、バス選択連動機能がオン状態である場合に、上述したバス選択部１００において何れかのＭＩＸバス選択キー１０９−ｋがオン状態に設定されると、ＭＩＸバス３２−ｋに対応するＭＩＸ出力チャンネル部３６−ｋのＣＵＥオンオフ切換部８０がオン状態（連動ＣＵＥのオン状態）になり、バス操作子部２００がミックスマスタモードである場合には、対応するバス制御部２１０−ｋに属するＣＵＥキー２２４が点灯される。
【００６２】
(連動機能２)また、ＭＩＸバス選択キー１０９−ｋのオン操作時に既に何れかの入力チャンネルないしＭＩＸ出力チャンネルのＣＵＥ（既存ＣＵＥ）がオンであった場合、その既存ＣＵＥは一時的に解除され、その代わりにＭＩＸ出力チャンネル部３６−ｋの連動ＣＵＥがオン状態にになる。さらに、その状態で別のＭＩＸバス選択キー１０９−ｊがオン操作された場合、直前の連動ＣＵＥが解除され、その代わりにＭＩＸ出力チャンネル部３６−ｊの連動ＣＵＥがオン状態になる。
【００６３】
(連動機能３)また、連動ＣＵＥがオン状態であって操作対象ＭＩＸバスのＭＩＸバス選択キー１０９−ｋがオフ操作された場合には、その連動ＣＵＥが解除される。ここで、連動ＣＵＥの開始時に、既存ＣＵＥを一時的に解除していた場合には、その際に、該一時的に解除されていた既存ＣＵＥが復活される。
【００６４】
(連動機能４)また、連動ＣＵＥがオン状態であって何れかの入力チャンネルないしＭＩＸ出力チャンネルのＣＵＥキー５２６ないし２２４がオン操作された場合には、その連動ＣＵＥが解除され、オン操作されたＣＵＥキーに対応するＣＵＥのみがオン状態になる。
【００６５】
以下、各々の機能を設けた意義について説明する。
(連動機能１について)
従来のミキシングシステムにおいては、コンサートにおいて演奏者に返すモニタ信号や、番組の出演者に返すモニタ信号を調節する際には、ＭＩＸバス選択キー１０９−ｋの操作によりそのモニタ信号をミキシングしているＭＩＸバス３２−ｋを操作対象ＭＩＸバスとして選択した後、さらにその操作対象ＭＩＸバスに対応したバス制御部２１０−ｋ内のＣＵＥキー２２４を操作しなければならなかった。本実施形態のミキシングシステムにおいては、バス選択連動機能をオン状態に設定することにより、操作対象ＭＩＸバスの指定と操作対象ＭＩＸバスの連動ＣＵＥの設定とを同時に実行することが可能になる。
【００６６】
(連動機能２について)
連動機能１の実行に際して、ＬＡＳＴ＿ＣＵＥモードあるいはＭＩＸ＿ＣＵＥモードにおけるＣＵＥ信号の指定が既に行われていたとしても、ＭＩＸバス選択キー１０９−ｋのオン操作に応じて、その既存ＣＵＥを解除して操作対象ＭＩＸバスに対して単独の連動ＣＵＥを設定することができる。
【００６７】
(連動機能３について)
さらに、ＭＩＸバス選択キー１０９−ｋのオフ操作が実行されると、連動ＣＵＥが解除され、連動ＣＵＥが実行される前のＣＵＥの状態が回復される。従って、オペレータが通常の作業を行っている際に、割り込みでモニタ信号の調整依頼を受けた場合であっても、モニタ信号の調整後に、従前の作業を速やかに開始することができる。モニタ信号の調整依頼は一時的な作業であり、かつ、不定期に発生するため、モニタ信号の調整と通常の作業を迅速に切り換えることにより、オペレータの労力を大幅に低減することができるのである。
【００６８】
(連動機能４について)
また、入力チャンネルないしＭＩＸ出力チャンネルのＣＵＥキー５２６，２２４を操作することにより、新たなＣＵＥ状態を設定することも可能である。さらに、ＣＵＥキー５２６，２２４はそれぞれトグル動作するキーであるため、同じＣＵＥキーを続けて操作することにより、該新たなＣＵＥ状態を解消し、全てのＣＵＥが解除された状態に設定することもできる。
【００６９】
3．5．3．バス操作子部２００と他の部分との関係について
上述したように、バス操作子部２００においては、バス制御部２１０−１〜２１０−２４が、横８列縦３列に配列されている。すなわち、最上行にはバス制御部２１０−１〜２１０−８が順次配置され、第２行にはバス制御部２１０−９〜２１０−１６が順次配置され、最下行にはバス制御部２１０−１７〜２１０−１４が順次配置されている。かかる配置により、調整すべき入力チャンネルまたはＭＩＸバスに対応するバス制御部２１０−１〜２１０−２４を、オペレータはきわめて容易に特定することができる。
【００７０】
また、本実施形態においては、入力チャンネルストリップ部５００に平行してバス選択部１００、バス操作子部２００、選択チャンネル制御部３００および表示器７２０を左から右に向かって順次配置したことも特徴の一つである。まず、選択チャンネル制御部３００においてリミッタ処理等の設定を行っている際に、該選択チャンネル制御部３００に隣接した表示器７２０において、設定されている特性のグラフが表示される。これにより、オペレータは、選択チャンネル制御部３００における各操作子の操作位置と設定中の特性のグラフとの関係を容易に見比べながら、特性を設定することができる。一方、バス操作子部２００における設定内容はゲイン等であるから、特になんらかのグラフとバス操作子部２００の操作内容とを見比べることは必要性に乏しい。従って、バス操作子部２００と表示器７２０との距離が離れていたとしても、ほとんど支障が生じないのである。
【００７１】
ところで、従来のミキシングシステム（例えば非特許文献１に挙げられているミキシングシステム）においては、表示器７２０の表示内容に対して無関係な操作子群、すなわち複数のＭＩＸバスに対するセンドレベルを設定する操作子群が選択チャンネル制御部３００の中に含まれていたため、選択チャンネル制御部３００内の操作子数が多くなり、操作が煩雑で使い難かったという問題があった。さらに、非特許文献１に開示された技術においては、入力チャンネル用の選択チャンネル制御部と、ＭＩＸ出力チャンネル用の選択チャンネル制御部とが個別に設けられていたため、操作子の数が一層多くなるという問題もあった。
【００７２】
これに対して本実施形態によれば、従来は選択チャンネル制御部３００に含まれていた操作子群すなわち複数のＭＩＸバスに対するセンドレベルを設定する操作子群が、バス操作子部２００として選択チャンネル制御部３００から独立しており、選択チャンネル制御部３００の隣であって表示器７２０から離れた側に配置されている。これにより、オペレータにとって操作子の配置が理解し易く、視点移動の距離を短くすることができる。
【００７３】
さらに、本実施形態においては、動作モードの切換により、バス操作子部２００を「一の選択チャンネルから複数のＭＩＸバスに送出する信号の制御」と、「複数のＭＩＸバスに各々対応する複数のＭＩＸ出力チャンネルから送出される信号の制御」とに対してバス操作子部２００を共用することができるため、操作子数を大幅に削減でき、これによって操作性を一層向上させることができる。しかも、これら二種類の信号制御は、それぞれ複数のＭＩＸバス３２−１〜３２−２４の個々に対応した制御であって、任意のＭＩＸバス３２−ｋに対応するバス制御部２１０−ｋは動作モードに拘らず一定である。従って、本実施形態によれば、動作モードに応じた複数の機能を共通の操作子に割り当てているにも拘らず、対象となるＭＩＸバスと操作子との対応関係が明確で解りやすいという格別の効果を奏するのである。
【００７４】
さらに、本実施形態においては、バス操作子部２００の各ＭＩＸバスに対応する操作子が横８列縦３列に配置されている。かかる配置は、入力チャンネルストリップ部５００のロータリーエンコーダ５１４等の機能を切り換える、バス選択部１００内のＭＩＸバス選択キー１０９−１〜１０９−２４の配置と全く同様である。従って、オペレータがバス操作子部２００を操作した後でバス選択部１００を操作する場合、あるいは逆の順に操作する場合に、個別の操作子と対応するＭＩＸバスとの関係を視覚的に容易に認識することができる。さらに、バス操作子部２００の動作モードがミックスセンドモードである場合、バス操作子部２００内のＳＥＬキー２２２は、バス選択部１００内のＭＩＸバス選択キー１０９−１〜１０９−２４と同一の機能を奏することができる。これにより、バス操作子部２００における一の選択チャンネルから複数のＭＩＸバスへのセンドレベル調節と、入力チャンネルストリップ部５００におけるロータリーエンコーダ５１４による一のＭＩＸバスへのセンドレベル調節とを交互に行う場合等において、本実施形態は高い操作性を発揮することができる。
【００７５】
4．実施形態の動作
4．1．一般的動作
次に、本実施形態のミキシングシステムの動作について説明する。
まず、ミキシングシステムにおいて、何れかのフェーダ、ロータリーエンコーダあるいはキー等の操作子の操作イベントが発生すると、その操作内容に応じたルーチンが起動される。特に、一般的な（シーンの再現等、特殊な操作イベントを除いた）音量・音質調節等に係る操作イベントが発生すると、図１１に示す操作イベントルーチンが起動される。
【００７６】
図において処理がステップＳＰ２に進むと、操作内容に基づいてカレントシーン領域１４ａを含むカレント領域の内容が更新される。例えば、電動フェーダあるいはロータリーエンコーダが操作されると、操作後の操作量に対応する制御データ（レベルデータ、周波数データなど）がカレント領域の対応領域に記憶され、キーが操作された場合にはその操作後のオンオフ状態等が記憶されることになる。次に、処理がステップＳＰ４に進むと、ミキシングアルゴリズム（図３，４参照）における各種パラメータ、すなわち信号処理部６内に設けられたパラメータ用のレジスタの内容がカレント領域に基づいて更新される。
【００７７】
次に、処理がステップＳＰ６に進むと、更新後のカレント領域の内容に基づいて、操作パネル２上の各種設定が実行される。例えば、キー内部のＬＥＤの点灯／消灯、ロータリーエンコーダの周囲のＬＥＤの点灯／消灯、各種表示器の表示内容の変更、電動フェーダの駆動等が実行される。本実施形態のミキシングシステムでは、入力ＣＵＥ連動機能、出力ＣＵＥ連動機能、バス選択連動機能の３種類の連動が可能であるが、これらの連動に係る処理は全てステップＳＰ２において行われる。すなわち、ステップＳＰ２では、操作された操作子の操作内容に基づいて、カレント領域のその操作子に対応する制御データが更新されるとともに、その操作子に関連する連動機能がオン状態に設定されているか否かが判定され、オン状態に設定されている場合には、その連動機能に従って連動すべき他の操作子の制御データも更新される。
【００７８】
4．2．具体的動作例
次に、本実施形態における代表的な動作例を具体的に説明する。
一例として、舞台上のある演奏者に対するモニタ信号として第２ＭＩＸ出力チャンネルが割り当てられていたとする。そして、そのモニタ信号について「全体に音量を上げて、パーカッションの音を落としてほしい」との要望があったとする。かかる要望を充足するためのオペレータの操作は以下の通りである。
【００７９】
まず、オペレータがバス操作子部２００においてミックスマスタキー２０４を押下すると、バス操作子部２００の動作モードはミックスマスタモードに設定され、各バス制御部２１０−ｋには、ＭＩＸ出力チャンネル部３６−ｋの設定内容が反映される。すなわち、各ＭＩＸ出力チャンネル部３６−ｋ内の音量調整部７６（図４参照）に設定されたゲインに応じて、各バス制御部２１０−ｋ内のロータリーエンコーダ２１８の周囲のＬＥＤの点灯状態が設定される。
【００８０】
次に、オペレータがバス選択部１００においてＭＩＸバス選択キー１０９−２をオン操作すると、該ＭＩＸバス選択キー１０９−２に対応する第２ＭＩＸ出力チャンネルが操作対象ＭＩＸバスとして選択される。その際、バス選択連動機能がオン状態に設定されていると、ＭＩＸ出力チャンネル部３６−２のＣＵＥオンオフ切換部８０が連動ＣＵＥとして自動的にオン状態に設定される。すなわち、第２ＭＩＸ出力チャンネルのモニタ信号がヘッドフォンまたはモニタスピーカから放音されることになる。
【００８１】
また、バス操作子部２００の動作モードがミックスマスタモードに設定されていれば、バス制御部２１０−２のＣＵＥキー２２４も自動的に点灯状態にされる。そして、該連動ＣＵＥが設定される前の既存のＣＵＥ状態は、ＲＡＭ１４内の所定領域に一時的に記憶される。さらに、第２ＭＩＸ出力チャンネルが操作対象ＭＩＸバスに設定されたことにより、入力チャンネルストリップ部５００の動作モードが通常モードであれば、各チャンネルストリップ５１０−１〜５１０−２４に含まれるロータリーエンコーダ５１４には、その時点における各入力チャンネルから第２ＭＩＸ出力チャンネルへのセンドレベルが反映される。
【００８２】
従って、オペレータは、第２ＭＩＸ出力チャンネルに対応するバス制御部２１０−２内のロータリーエンコーダ２１８を操作することにより、第２ＭＩＸ出力チャンネルの全体の音量を調節することができる。また、各入力チャンネルのうち「パーカッション」に係るチャンネルのロータリーエンコーダ５１４を操作することにより、「パーカッション」のセンドレベルを低下させることができる。そして、ＭＩＸ出力チャンネル部３６−２のＣＵＥオンオフ切換部８０が連動ＣＵＥとして自動的にオン状態に設定されているから、実際に第２ＭＩＸ出力チャンネルのモニタ音を聞きながらこれらの操作を行うことができる。
【００８３】
そして、第２ＭＩＸ出力チャンネルに対する設定が完了した後、オペレータがＭＩＸバス選択キー１０９−２を再び押下（オフ操作）すると、連動ＣＵＥが設定される前のＣＵＥ状態がＲＡＭ１４内の上記所定領域から読み出され、操作パネル２上に再現される。これにより、オペレータは以前に行っていた調整等を速やかに続行することができるのである。
【００８４】
5．変形例
本発明は上述した実施形態に限定されるものではなく、例えば以下のように種々の変形が可能である。
(1)上記各実施形態においては、ＣＰＵ１０上で動作するプログラムによってミキシングシステムを制御したが、このプログラムのみをＣＤ−ＲＯＭ、フレキシブルディスク等の記録媒体に格納して頒布し、あるいは伝送路を通じて頒布することもできる。
【００８５】
(2)上記実施形態においては、バス制御部２１０−１〜２１０−２４を横３行縦８列に配列したが、バス制御部２１０−１〜２１０−２４の配列方向はこれに限定されるものではない。すなわち、Ｐ，Ｑを「２」以上の任意の自然数とし、「Ｐ×Ｑ」だけ設けられた「バス制御部」を横Ｐ行縦Ｑ列に配置するのであれば、全て本発明の範疇に含まれる。さらに、Ｐ，Ｑを共に「３」以上の自然数とすると、バス制御部２１０−１〜２１０−２４全体の配列形状をより正方形に近い形状にすることができるから、一層好適である。同様に、バス選択部１００においてはＭＩＸバス選択キー１０９−１〜１０９−２４を横３行縦８列に配列したが、Ｒ，Ｓを「２」以上の任意の自然数とし、「Ｒ×Ｓ」だけ設けられたＭＩＸバス選択キー１０９−１〜１０９−２４を横Ｒ行縦Ｓ列に配置するのであれば、全て本発明の範疇に含まれる。この場合もＲ，Ｓを「３」以上の自然数とすると、ＭＩＸバス選択キー１０９，……，１０９全体の配列形状をより正方形に近い形状にすることができるから、一層好適である。
【００８６】
(3)上記実施形態においては、ＳＥＬキー５１６の操作によってＣＵＥキー５２６が連動せず、またＳＥＬキー２２２の操作によってＣＵＥキー２２４が連動しないように設定されていた。これは、上述したように、オペレータが全体の音質・音量をモニタしながら、選択チャンネル制御部３００においてある特定のＭＩＸ出力チャンネルの調節を行うことを考慮したものである。しかし、ミキシングシステムの使用状態によっては、これらのキーを連動させた方が望ましい場合もあるため、
ＳＥＬキー２２２または５１６の操作によってＣＵＥキー２２４または５２６が連動するようにしてもよい。
【００８７】
(4)また、上記実施形態のバス選択連動機能によれば、ＭＩＸバス選択キー１０９−ｋのオン操作およびオフ操作の双方に対してＭＩＸ出力チャンネル部３６−ｋ内のＣＵＥオンオフ切換部８０の状態を連動させたが、ＭＩＸバス選択キー１０９−ｋのオン操作「のみ」に対して該ＣＵＥオンオフ切換部８０の状態を連動してオン状態に設定し、オフ操作に対しては連動させないようにしてもよい。
【００８８】
(5)また、上記実施形態においては、フラッシュメモリ１２に格納されたプログラムによってミキシングシステムの各部を制御したが、このプログラムのみをＣＤ−ＲＯＭ、フレキシブルディスク等の記録媒体に格納して頒布し、あるいは伝送路を通じて頒布することもできる。
【００８９】
【発明の効果】
以上説明したように本発明によれば、設定チャンネル選択過程において一の混合バスが選択されると、これに連動して当該一の混合バスに対応する出力チャンネル部の信号がモニタ信号として選択され、あるいは、モニタチャンネル選択過程に連動して選択チャンネル制御部における調節対象チャンネルが自動的に選択されるから、多系統の信号のミキシング状態を効率的に設定することが可能である。
【図面の簡単な説明】
【図１】本発明の一実施形態のミキシングシステムの全体ブロック図である。
【図２】一実施形態のミキシングシステムの操作パネル２の全体平面図である。
【図３】信号処理部６等において実行されるミキシングアルゴリズムの全体ブロック図である。
【図４】ミキシングアルゴリズムの要部のブロック図である。
【図５】バス選択部１００の平面図である。
【図６】バス操作子部２００の平面図である。
【図７】選択チャンネル制御部３００の平面図（１／２）である。
【図８】選択チャンネル制御部３００の平面図（２／２）である。
【図９】入力チャンネルストリップ部５００の平面図である。
【図１０】割当チャンネルストリップ部６００の平面図である。
【図１１】ＣＰＵ１０において実行される制御プログラムのフローチャートである。
【符号の説明】
２：操作パネル、４：波形Ｉ／Ｏ部、６：信号処理部、７：バス、８：その他Ｉ／Ｏ部、１０：ＣＰＵ、１２：フラッシュメモリ、１２ａ：プログラム領域、１２ｂ：シーン領域、１４：ＲＡＭ、１４ａ：カレントシーン領域、１６：操作者用モニタ装置、２２：アナログ入力部、２４：デジタル入力部、２６：内蔵エフェクタ、２８：入力パッチ部、３０：入力チャンネル調整部、３２：ＭＩＸバス群、３４：ＣＵＥバス、３６：ＭＩＸ出力チャンネル部、３８：モニタ用セレクタ、４０：モニタ用ミキサ、４２：出力パッチ部、４４：アナログ出力部、４６：デジタル出力部、４９：モニタ用アナログ出力部、５４：オンオフ切換部、５６：音量調整部、５８：信号切換部、６０：ＣＵＥオンオフ切換部、６２−１〜６２−２４：信号切換部、６４−１〜６４−２４：センドレベル調節部、６６−１〜６６−２４：センドオンオフ切換部、７４：オンオフ切換部、７６：音量調整部、７８：信号切換部、８０：ＣＵＥオンオフ切換部、１００：バス選択部、１０２：ＦＬＩＰキー、１０４：ＬＥＤ表示器、１０６：ＨＡ＿ＲＥＭＯＴＥキー、１０８：ＰＡＮキー、１０９，……，１０９：ＭＩＸバス選択キー、２００：バス操作子部、２０２：ミックスセンドキー、２０４：ミックスマスタキー、２１６：ＯＮキー、２１８：ロータリーエンコーダ、２２２：ＳＥＬキー、２２４：ＣＵＥキー、３００：選択チャンネル制御部、５００：入力チャンネルストリップ部、５１０：チャンネルストリップ、５１２：ＯＮキー、５１４：ロータリーエンコーダ、５１６：ＳＥＬキー、５１８：ディスプレイ、５２０：ＯＮキー、５２４：電動フェーダ、５２６：ＣＵＥキー、６００：割当チャンネルストリップ部、７２０：表示器、７３０：シーン選択部、７５０：画面選択部、７６０：画面制御部、７７０：その他制御部。
【図１】
2004207826.tif 000003
【図２】
2004207826.tif 000004
【図３】
2004207826.tif 000005
【図４】
2004207826.tif 000006
【図５】
2004207826.tif 000007
【図６】
2004207826.tif 000008
【図７】
2004207826.tif 000009
【図８】
2004207826.tif 000010
【図９】
2004207826.tif 000011
【図１０】
2004207826.tif 000012
【図１１】
2004207826.tif 000013